(57)【特許請求の範囲】
【請求項１】
他のファクシミリ装置との間で通信速度を決定する通信速度決定手段と、その通信速度決定手段により決定された通信速度で前記他のファクシミリ装置から送信されるデータを受信する受信手段と、その受信手段により受信されたデータを記憶する記憶手段とを備えたファクシミリ装置において、
前記記憶手段に設けられるＲＡＭにより構成された第１メモリと、
前記記憶手段に設けられるフラッシュメモリにより構成された第２メモリと、前記受信手段により受信されたデータを前記第２メモリに記憶させる場合には、前記通信速度決定手段により決定される通信速度を、前記第１メモリに記憶させる場合に比べて遅く設定する通信速度減速手段とを備えたことを特徴とするファクシミリ装置。
【請求項２】
前記第１メモリの空き容量を検査する検査手段と、
その検査手段により前記第１メモリの空き容量が所定量以上であると検査された場合には前記受信手段により受信されたデータを前記第１メモリに記憶させ、前記第１メモリの空き容量が所定量未満であると検査された場合には前記受信手段により受信されたデータを前記第２メモリに記憶させる記憶領域切替手段とを備えたことを特徴とする請求項１記載のファクシミリ装置。
【請求項３】
前記記憶手段に記憶されたデータを前記他のファクシミリ装置へ送信する送信手段を備え、
前記通信速度決定手段は、前記送信手段により送信されるデータが前記第１、第２メモリのいずれに記憶されている場合であっても、同じ通信速度に決定することを特徴とする請求項１または２に記載のファクシミリ装置。
【請求項４】
原稿の画像を読み取り、その読み取ったデータを前記記憶手段に記憶させる読み取り手段を備え、
前記読み取り手段は、前記第２メモリの空き容量が所定量以上である場合には読み取ったデータを前記第２メモリに記憶させることを特徴とする請求項３記載のファクシミリ装置。
【請求項５】
前記第１メモリはスタティックＲＡＭで構成され、そのスタティックＲＡＭにはバックアップ回路が設けられていることを特徴とする請求項１から４のいずれかに記載のファクシミリ装置。
【発明の詳細な説明】
【０００１】
【発明の属する技術分野】
本発明はファクシミリ装置に関し、特に、受信データの記憶媒体としてフラッシュメモリを用いても、受信データを取りこぼすことなく、記憶することができるファクシミリ装置に関するものである。
【０００２】
【従来の技術】
ファクシミリ装置は、突然の停電時などにも受信データが失われることがないように、メモリバックアップを施したＳＲＡＭ（スタティックＲＡＭ）に受信データを記憶するようにしている。しかし、ＳＲＡＭのビットあたりの価格は、揮発性メモリであるＤＲＡＭ（ダイナミックＲＡＭ）に比べて約４倍であり、近年のファクシミリ装置の高機能化とともに受信メモリが増大される状況下では、ＳＲＡＭによる製品原価の上昇は大きなものとなっていた。勿論、ＤＲＡＭであってもバックアップすることは可能であるが、バックアップ専用のリフレッシュ回路を備えなければならない等の問題があった。
【０００３】
ところで、近年では、ビットあたりの価格がＤＲＡＭとほぼ等しい不揮発性メモリであるフラッシュメモリが開発されている。このフラッシュメモリは、ＲＯＭの一種であるものの、データの書き換えを行うことができるメモリである。しかも、フラッシュメモリに記憶されたデータは、バックアップ回路なしで保持することができるのである。
【０００４】
そこで、本発明者は、ファクシミリ受信されたデータの記憶媒体として、ＳＲＡＭの一部をフラッシュメモリに代替して、製品原価の上昇を抑えることを試みた。
【０００５】
【発明が解決しようとする課題】
しかしながら、フラッシュメモリのデータの書き換えには、ＳＲＡＭの場合の約１０００倍の時間が必要である。よって、ファクシミリ受信しながら受信データをフラッシュメモリに書き込んでいると、受信にデータ書き込みが追従できず、受信データを取りこぼしてしまうという問題点があった。
【０００６】
本発明は上述した問題点を解決するためになされたものであり、受信データの記憶媒体としてフラッシュメモリを用いても、受信データを取りこぼすことなく、記憶することができるファクシミリ装置を提供することを目的としている。
【０００７】
【課題を解決するための手段】
この目的を達成するために、請求項１記載のファクシミリ装置は、他のファクシミリ装置との間で通信速度を決定する通信速度決定手段と、その通信速度決定手段により決定された通信速度で前記他のファクシミリ装置から送信されるデータを受信する受信手段と、その受信手段により受信されたデータを記憶する記憶手段とを備え、更に、前記記憶手段に設けられるＲＡＭにより構成された第１メモリと、前記記憶手段に設けられるフラッシュメモリにより構成された第２メモリと、前記受信手段により受信されたデータを前記第２メモリに記憶させる場合には、前記通信速度決定手段により決定される通信速度を、前記第１メモリに記憶させる場合に比べて遅く設定する通信速度減速手段とを備えている。
【０００８】
この請求項１記載のファクシミリ装置によれば、他のファクシミリ装置から送信されるデータは、通信速度決定手段により決定された通信速度で、本ファクシミリ装置へ送信される。この送信データは、受信手段により受信され、記憶手段に記憶される。記憶手段は、ＲＡＭにより構成された第１メモリと、フラッシュメモリにより構成された第２メモリとを備えるが、受信されたデータを第２メモリに記憶させる場合には、通信速度減速手段によって、通信速度決定手段により決定される通信速度が予め遅く設定される。
【０００９】
請求項２記載のファクシミリ装置は、請求項１記載のファクシミリ装置において、更に、前記第１メモリの空き容量を検査する検査手段と、その検査手段により前記第１メモリの空き容量が所定量以上であると検査された場合には前記受信手段により受信されたデータを前記第１メモリに記憶させ、前記第１メモリの空き容量が所定量未満であると検査された場合には前記受信手段により受信されたデータを前記第２メモリに記憶させる記憶領域切替手段とを備えている。
【００１０】
この請求項２記載のファクシミリ装置によれば、請求項１記載のファクシミリ装置と同様に作用する上、記憶領域切替手段は、ＲＡＭにより構成された第１メモリの空き容量が検査手段により所定量未満であると検査された場合に、受信データを第２メモリに記憶させる。よって、受信データの記憶メモリとして、ＲＡＭで構成された第１メモリが、フラッシュメモリで構成された第２メモリに優先して使用される。
【００１１】
請求項３記載のファクシミリ装置は、請求項１または２に記載のファクシミリ装置において、更に、前記記憶手段に記憶されたデータを前記他のファクシミリ装置へ送信する送信手段を備え、前記通信速度決定手段は、前記送信手段により送信されるデータが前記第１、第２メモリのいずれに記憶されている場合であっても、同じ通信速度に決定するものである。
【００１２】
この請求項３記載のファクシミリ装置によれば、請求項１または２に記載のファクシミリ装置と同様に作用する上、フラッシュメモリで構成された第２メモリに記憶されるデータを、送信手段により他のファクシミリ装置へ送信する場合、その通信速度は、通信速度決定手段により、ＲＡＭで構成された第１メモリに記憶されるデータを送信する場合と同じ速度に決定される。
【００１３】
請求項４記載のファクシミリ装置は、請求項３記載のファクシミリ装置において、更に、原稿の画像を読み取り、その読み取ったデータを前記記憶手段に記憶させる読み取り手段を備え、前記読み取り手段は、前記第２メモリの空き容量が所定量以上である場合には読み取ったデータを前記第２メモリに記憶させるものである。この請求項４記載のファクシミリ装置によれば、請求項３記載のファクシミリ装置と同様に作用する上、読み取り手段は、フラッシュメモリにより構成された第２メモリの空き容量が所定量以上である場合には、原稿画像の読み取りデータを第２メモリに記憶させるので、読み取りデータの記憶メモリとして、フラッシュメモリで構成された第２メモリが、ＲＡＭで構成された第１メモリに優先して使用される。
【００１４】
請求項５記載のファクシミリ装置は、請求項１から４のいずれかに記載のファクシミリ装置において、前記第１メモリはスタティックＲＡＭで構成され、そのスタティックＲＡＭにはバックアップ回路が設けられている。
【００１５】
【発明の実施の形態】
以下、本発明の好ましい実施例について、添付図面を参照して説明する。図１に、本ファクシミリ装置１の外観斜視図を示す。ファクシミリ装置１の本体２の側部には、受話器３が取り付けられている。受話器３は非通話時には本体２に設けられた図示しないフック上に置かれ、通話時にはフックから取り上げられて使用される。前者をオンフック状態、後者をオフフック状態と称する。本体２上面の前部には複数のボタンを備えた操作パネル４が設けられ、その操作パネル４の左後部には液晶表示器（ＬＣＤ）５が設けられている。ファクシミリ装置１は、この操作パネル４上に設けられたボタンが押下されることにより操作され、その操作された状態や操作手順などはＬＣＤ５に表示される。
【００１６】
操作パネル４及びＬＣＤ５の後部には原稿挿入口６が設けられている。ファクシミリ送信される原稿はこの原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられ、この記録紙ホルダ装着部９には、複数枚の記録紙を積層収納可能な記録紙ホルダ１０が着脱可能に取り付けられている。記録紙ホルダ１０から供給され印字に使用された記録紙は、原稿排出口７の下方に設けられた記録紙排出口８から排出される。
【００１７】
図２は、本ファクシミリ装置１の電気的構成を示したブロック図である。ファクシミリ装置１には、ＣＰＵ１１、ＲＯＭ１２、ＲＡＭ１３、フラッシュメモリ１５、音声ＬＳＩ１７、ネットワーク・コントロール・ユニット（以下、「ＮＣＵ」と称する）１９、モデム２０、バッファ２１、スキャナ２２、符号化部２３、復号化部２４、プリンタ２５、操作パネル４、アンプ２７が備えられ、これらはバスライン２９を介して相互に接続されている。
【００１８】
ＣＰＵ１１は、ＮＣＵ１９を介して送受信される各種信号に従って、バスライン２９により接続された各部を制御してファクシミリ動作や電話動作などのデータ通信を実行するものである。ＲＯＭ１２は、このファクシミリ装置１で実行される制御プログラム１２ａなどを格納した書換不能なメモリであり、図５及び図６に図示されるフローチャートのプログラムはＲＯＭ１２内に格納されている。
【００１９】
ＲＡＭ１３は、各種のデータを記憶するためのメモリであり、他のファクシミリ装置から受信され、あるいは、スキャナ２２により読み取られた画像データなどを記憶するページメモリ１３ａを備えている。このＲＡＭ１３はスタティックＲＡＭで構成されており、ＲＡＭ１３には、バックアップ回路１４が接続されているので、ＲＡＭ１３のページメモリ１３ａに記憶されたデータは電源の遮断後も記憶可能とされている。フラッシュメモリ１５は、ＲＡＭ１３のページメモリ１３ａの空き容量が所定量未満である場合に、ファクシミリ受信されたデータを記憶するメモリである。即ち、ファクシミリ受信されたデータは、ページメモリ１３ａとフラッシュメモリ１５のいずれかのメモリに記憶される。また、このフラッシュメモリ１５には、スキャナ２２により読み取られた原稿の画像データも記憶される。なお、フラッシュメモリ１５の空き容量が所定量未満である場合には、スキャナ２２により読み取られたデータは、ページメモリ１３ａに記憶される。ぺージメモリ１３ａとフラッシュメモリ１５のいずれにおいても空き容量が所定量未満である場合には、いわゆるメモリ受信やメモリ送信が禁止される。
【００２０】
音声ＬＳＩ１７は、ＮＣＵ１９によって受信されたアナログ音声信号をデジタル音声信号に変換すると共に、このファクシミリ装置１の内部で生成されたデジタル音声信号をアナログ音声信号に変換してＮＣＵ１９に出力するものである。モデム２０は、画像データを変調・復調して伝送すると共に伝送制御用の各種手順信号を送受信するものである。
【００２１】
バッファ２１は、相手側ファクシミリ装置との間で送受信される符号化された画像データやスキャナ２２により読み取られた原稿の画像データを一時的に格納するものである。画像データは、このバッファ２１を介して、ページメモリ１３ａやフラッシュメモリ１５に記憶される。また、印刷のためにプリンタ２５へ出力される画像データも、ページメモリ１３ａやフラッシュメモリ１５から、一旦、このバッファ２１へ読み出される。
【００２２】
スキャナ２２は原稿挿入口６に挿入された原稿の画像を読み取るためのものであり、符号化部２３はスキャナ２２により読み取られた原稿画像の符号化を行うものである。復号化部２４は、バッファ２１に記憶された受信画像データを読み出して、これを復号化するものであり、復号化されたデータは、プリンタ２５により記録紙に印刷される。操作パネル４は、操作者がこのファクシミリ装置１の設定等の各種の操作を行うためのものである。アンプ２７は、そのアンプ２７に接続されたスピーカ２８を鳴動して、呼出音などを出力するためのものである。このように構成されたファクシミリ装置１は、ＮＣＵ１９を介して、電話回線３０に接続されている。
【００２３】
次ぎに、図３に基づいて、このファクシミリ装置１における送受信されるデータの流れを説明する。まず、他のファクシミリ装置から送信され、本ファクシミリ装置１で受信されるデータは、符号化された状態で、電話回線３０から、ＮＣＵ１９、モデム２０を経て、一旦、バッファ２１に記憶される。このバッファ２１に記憶された受信データは、ページメモリ１３ａの空き容量が所定量以上である場合にはページメモリ１３ａに記憶され、ページメモリ１３ａの空き容量が所定量未満である場合にはフラッシュメモリ１５に記憶される。ページメモリ１３ａ又はフラッシュメモリ１５に記憶された受信データは、符号化された状態であるので、バッファ２１を介して一部ずつ読み出されると、復号化部２４にて復号化され、プリンタ２５に出力されて印刷される。
【００２４】
一方、スキャナ２２により読み取られた原稿の画像データは、符号化部２３にて符号化された後、一旦、バッファ２１に記憶される。このバッファ２１に記憶された読み取りデータは、フラッシュメモリ１５の空き容量が所定量以上である場合にはフラッシュメモリ１５に記憶され、フラッシュメモリ１５の空き容量が所定量未満である場合にはページメモリ１３ａに記憶される。ページメモリ１３ａ又はフラッシュメモリ１５に記憶された読み取りデータは、一部ずつバッファ２１に読み出され、モデム２０、ＮＣＵ１９を介して、電話回線３０から他のファクシミリ装置へ送信される。
【００２５】
ここで、図４を参照して、発呼側ファクシミリ装置（発呼側装置）から被呼側ファクシミリ装置（被呼側装置）へ送信されるデータの通信速度（データ伝送速度）の決定方法について説明する。
【００２６】
発呼側装置４１から被呼側装置４２が発呼されると、呼出信号４３が交換機を介して、被呼側装置４２へ送信される。被呼側装置４２がこの呼出信号４３を受けて電話回線を閉結４４すると、発呼側装置４１から非音声端末であることを表すＣＮＧ（Calling Tone）信号４５が被呼側装置４２へ送られる。被呼側装置４２は、ＣＮＧ信号４５を受信すると、ＣＥＤ（Called Station Identification）信号４６を送信し、その信号４６に続いて、ＮＦＳ（Non-Standard Facilities）信号４７、ＣＳＩ（Called Subscriber Identification）信号４８、ＤＩＳ（Digital Identification Signal）信号４９を発呼側装置４１へ送信する。ＣＳＩ信号４８は被呼端末識別信号、即ち、被呼側ファクシミリ装置４２の電話番号を表す信号である。また、ＮＳＦ信号４７及びＤＩＳ信号４９は、被呼側装置４２が有する送受信機能（通信速度、解像度、符号化方式等）を発呼側装置４１に知らせるための信号である。このＮＳＦ信号４７及びＤＩＳ信号４９において、被呼側装置５２の受信可能な最速の通信速度が発呼側装置４１へ知らされる。
【００２７】
発呼側装置４１は、ＤＩＳ信号４９を受信すると、ＴＳＩ（Transmitting Subscriber Identification）信号５０と、ＤＣＳ（Digital Command Signal）信号５１またはＮＳＳ（Non-Standard facilites Set-up）信号を被呼側装置４２へ送信する。ＤＣＳ信号５１とＮＳＳ信号は、いずれか一方の信号のみ送信される。
【００２８】
ＴＳＩ信号５０は発呼端末識別信号、即ち、発呼側ファクシミリ装置４１の電話番号を表す信号である。ＮＳＳ信号又はＤＣＳ信号５１は、ＮＳＦ信号４７又はＤＩＳ信号４９により示された被呼側装置４２の送受信機能に基づいて発呼側装置４１により設定された伝送パラメータ（通信速度、解像度、符号化方式等）を被呼側装置４２へ知らせるための信号である。発呼側装置４１から送信され被呼側装置４２で受信されるデータの通信速度は、被呼側装置４２から送信されるＮＳＦ信号４７又はＤＩＳ信号４９に基づいて、発呼側装置４１で決定される。詳細には、ＮＳＦ信号４７又はＤＩＳ信号４９で示された被呼側装置４２の受信可能な通信速度と、発呼側装置４１の送信可能な通信速度のうち、共通する最速の通信速度に決定されるのである。即ち、最速の通信速度でデータ送信することにより、データをより速く送信しようとするものである。
【００２９】
なお、発呼側装置４１は、ＤＣＳ信号５１又はＮＳＳ信号の送信後、更に、ＴＣＦ（Training Check）信号５２を被呼側装置４２へ送信する。ＴＣＦ信号５２は被呼側装置４２が正常にデータ受信できるか否かを確かめるための信号であり、一定時間内に予め定められた数の０のビットデータが発呼側装置４１から被呼側装置４２へ送出される。ＴＣＦ信号５２を正常に受信できれば、被呼側装置４２はＣＦＲ（Confirmation to Receive）信号５３を送信し、データの送信を開始してよいことを発呼側装置４１へ知らせる。ＣＦＲ信号５３の送信後に、データの送受信が開始される。
【００３０】
ところで、ＲＡＭ１３のページメモリ１３ａとともに、受信データの記憶媒体として用いられるフラッシュメモリ１５は、安価な書き換え可能な不揮発性のメモリであり、バックアップ回路なしでデータを保持することができる。しかし、このフラッシュメモリ１５は、データの書き替えが遅いという欠点を備えている。具体的には、フラッシュメモリ１５の書き換え速度は、スタティックＲＡＭ１３の書き換え速度に比べて、約１０００倍程度遅くなっている。これは、フラッシュメモリ１５のデータを書き換えるためには、一旦、１ブロック単位でデータを消去してから、１ページ単位でデータを書き込まなければならないからである。
【００３１】
１ブロック、１ページの各サイズは、フラッシュメモリ１５の種類によって異なるが、一例としては、１ページ＝３２バイト、１ブロック＝１２８ページ＝４Ｋバイトである。具体的に、本実施例のフラッシュメモリ１５では、１バイトのデータを書き換える場合、まず、書き換えられるデータが含まれた１ブロックのデータを別のメモリへ退避し、その退避されたメモリ上で１バイトのデータの書き換えを行う。その後、書き換えられるデータが含まれた１ブロックのデータを消去し、消去後のブロックへ退避され書き換えられたデータを１ページ単位で１ブロック分書き込むのである。
【００３２】
従って、ファクシミリ受信されたデータをフラッシュメモリ１５に記憶させる場合には、その通信速度が速いと、受信されたデータのフラッシュメモリ１５への書き込みがデータ受信に追従できず、受信されたデータを取りこぼしてしまう。よって、本実施例のファクシミリ装置１では、図５のフローチャートに図示するように、受信データをフラッシュメモリ１５に記憶させる場合には、ＮＳＦ信号４７及びＤＩＳ信号４９により宣言する通信速度を遅く設定している。
【００３３】
一方、フラッシュメモリ１５の読み出し速度は、スタティックＲＡＭ１３に比べて遅いものの約数倍程度である。よって、図６のフローチャートに図示するように、フラッシュメモリ１５に記憶されたデータを送信する場合の通信速度は、通常の場合と同様に、設定可能な通信速度のうち最速の通信速度としている。
【００３４】
次に、上記のように構成されたファクシミリ装置１の受信時の処理を図５のフローチャートに基づいて説明する。ファクシミリ装置１は、呼出信号が着信されるまで待機し（Ｓ１：Ｎｏ）、呼出信号が着信されると（Ｓ１：Ｙｅｓ）、ページメモリ１３ａにどのくらいの空き容量があるのかを検査する（Ｓ２）。検査の結果、ページメモリ１３ａの空き容量が所定量以上である場合には（Ｓ２：Ｙｅｓ）、上述したＮＦＳ信号４７及びＤＩＳ信号４９の中で宣言される通信速度として、本ファクシミリ装置１で通信可能な最高の速度を宣言する（Ｓ３）。ＮＦＳ信号４７及びＤＩＳ信号４９の送信後、ＴＳＩ信号５０からＣＦＲ信号５３までの送受信が完了すると、発呼側ファクシミリ装置からデータの送信が開始される。発呼側装置から送信されたデータは、本ファクシミリ装置１で受信され、スタティックＲＡＭ１３のページメモリ１３ａに格納される（Ｓ４）。
【００３５】
一方、ページメモリ１３ａの空き容量を検査した結果、空き容量が所定量未満である場合には（Ｓ２：Ｎｏ）、上述したＮＦＳ信号４７及びＤＩＳ信号４９の中で宣言される通信速度として、本ファクシミリ装置１で通信可能な最高速度より遅い速度を宣言する（Ｓ５）。ここで宣言する遅い速度とは、フラッシュメモリ１５への受信データの書き込みが、データ受信に追従できる速度である。受信されたデータは、一旦、バッファ２１に蓄えられ、その後順に、フラッシュメモリ１５に書き込まれるが、かかる遅い速度とは、バッファ２１がフル（一杯）にならずにデータ受信できる速度である。このように遅い速度を宣言することにより、バッファ２１がフル状態になることを回避できるので、受信データを取りこぼしてしまうことがない。
【００３６】
ＮＦＳ信号４７及びＤＩＳ信号４９の送信後、ＴＳＩ信号５０からＣＦＲ信号５３までの送受信が完了すると、発呼側ファクシミリ装置からデータの送信が開始される。発呼側装置から送信されたデータは、本ファクシミリ装置１で受信され、フラッシュメモリ１５に格納される（Ｓ６）。
【００３７】
次に、ファクシミリ装置１の送信時の処理を図６のフローチャートに基づいて説明する。ファクシミリ装置１は、操作パネル４から送信指示がなされるまで待機し（Ｓ１１：Ｎｏ）、送信指示がなされると（Ｓ１１：Ｙｅｓ）、まず、フラッシュメモリ１５にどのくらいの空き容量があるのかを検査する（Ｓ１２）。検査の結果、フラッシュメモリ１５の空き容量が所定量以上である場合には（Ｓ１２：Ｙｅｓ）、スキャナ２２により読み取られた原稿の画像データ、即ち、送信データをフラッシュメモリ１５に記憶する（Ｓ１３）。一方、検査の結果、フラッシュメモリ１５の空き容量が所定量未満である場合には（Ｓ１２：Ｎｏ）、スキャナ２２により読み取られた原稿の画像データ、即ち、送信データをＲＡＭ１３のページメモリ１３ａに記憶する（Ｓ１４）。なお、この図６のフローチャートにおけるＳ１２の「所定量」は、図５のフローチャートにおけるＳ２の「所定量」と必ずしも一致しない量であり、それぞれ独自に設定されている。
【００３８】
送信原稿の画像データが、フラッシュメモリ１５又はページメモリ１３ａに記憶されると、ファクシミリ装置１は回線を接続して相手先ファクシミリ装置を発呼する（Ｓ１５）。相手先ファクシミリ装置との間で回線が閉結され、相手先装置へＣＮＧ信号４５を送信すると、相手先装置からＣＥＤ信号４６からＤＩＳ信号４９までの各信号が送信されてくる。本ファクシミリ装置１は、このＮＳＦ信号４７及びＤＩＳ信号４９に応答するＮＳＳ信号又はＤＣＳ信号５１の中で、相手先装置の宣言した通信速度と、本ファクシミリ装置１で通信可能な最高の通信速度との共通する最高の通信速度を宣言する（Ｓ１６）。本ファクシミリ装置１は、ＤＣＳ信号５１又はＮＳＳ信号の送信後、ＴＣＦ信号５２を送信し、相手先装置から送信されたＣＦＲ信号５３を受信すると、フラッシュメモリ１５又はページメモリ１３ａに格納された送信データを相手先装置へ送信する（Ｓ１７）。
【００３９】
なお、図５、６には明示されていないが、ページメモリ１３ａとフラッシュメモリ１５のいずれにおいても空き容量が所定量未満である場合には、メモリ受信やメモリ送信は禁止される。もっとも、メモリを使用しない通信は可能であるので、かかる通信は許可される。
【００４０】
以上説明したように、本実施例のファクシミリ装置によれば、受信データをフラッシュメモリに記憶させる場合には、通信速度を遅く設定するので、安価なフラッシュメモリを用いてもデータを取りこぼすことなく受信することができる。また、受信データのフラッシュメモリへの格納は、ページメモリ（ＲＡＭ）の空き容量が不足した場合に限り行われるので、ページメモリの空き容量が大きい場合には、通信速度が低下されることがない。
【００４１】
一方、フラッシュメモリに記憶されたデータを送信する場合には、ページメモリ（ＲＡＭ）に記憶されたデータを送信する場合と同じ速度でデータを送信するので、通信速度が低下することがない。また、スキャナにより読み取られたデータは、フラッシュメモリへ優先して書き込まれるので、ページメモリの空き容量をより大きく保つことができ、データ受信時の通信速度の低下を極力抑えることができる。
【００４２】
更に、ページメモリはスタティックＲＡＭで構成され、そのスタティックＲＡＭにはバックアップ回路が接続されているので、フラッシュメモリとあわせて、ファクシミリ装置１の電源が遮断された場合にも、すべての受信データを保存することができる。よって、突然の停電時などにもデータを失うことがない。
【００４３】
請求項１記載のファクシミリ装置では、通信速度決定手段としてはＤＩＳ信号４９及びＮＳＦ信号４７が、通信速度減速手段としてはＳ５の処理が、それぞれ該当する。請求項２記載のファクシミリ装置では、検査手段としてはＳ２の処理が、記憶領域切替手段としてはＳ３とＳ５の処理が、それぞれ該当する。請求項３記載のファクシミリ装置では、通信速度決定手段としてはＤＣＳ信号５１及びＮＳＳ信号が該当する。請求項４記載のファクシミリ装置では、読み取り手段としては、Ｓ１２からＳ１４の処理が該当する。
【００４４】
以上、実施例に基づき本発明を説明したが、本発明は上記実施例に何ら限定されるものではなく、本発明の趣旨を逸脱しない範囲内で種々の改良変形が可能であることは容易に推察できるものである。
【００４５】
例えば、本実施例では、通信速度の決定は、データ送信の開始時にのみ行われた。しかし、これを送信されるデータの１ページ単位毎に行うようにしても良い。
【００４６】
また、本実施例では、フラッシュメモリの空き容量が所定量未満である場合に、スキャナにより読み取られたデータはＲＡＭのページメモリに格納された（図６のＳ１２：Ｎｏ，Ｓ１４）。しかし、これをフラッシュメモリの空き容量が所定量未満である場合には、フラッシュメモリの空き容量が所定量以上に回復するまで、スキャナによる読み取りを中止するようにしても良い。これによりページメモリを受信専用のメモリとして使用することができるので、通信速度の低下をより抑制することができる。
【００４７】
【発明の効果】
請求項１記載のファクシミリ装置によれば、本ファクシミリ装置で受信されたデータをフラッシュメモリで構成された第２メモリに記憶させる場合には、他のファクシミリ装置から送信されるデータの通信速度が遅く設定される。よって、フラッシュメモリを用いても、データを取りこぼすことなく、受信データの記憶を行うことができるという効果がある。
【００４８】
請求項２記載のファクシミリ装置によれば、請求項１記載のファクシミリ装置の奏する効果に加え、更に、受信データは、フラッシュメモリで構成された第２メモリより、ＲＡＭで構成された第１メモリに優先して記憶される。よって、受信データを第２メモリに記憶する場合に行われる通信速度の低下を極力抑えることができるという効果がある。
【００４９】
請求項３記載のファクシミリ装置によれば、請求項１または２に記載のファクシミリ装置の奏する効果に加え、更に、フラッシュメモリで構成された第２メモリに記憶されるデータを、他のファクシミリ装置へ送信する場合の通信速度は、ＲＡＭで構成された第１メモリに記憶されるデータを送信する場合と同じ速度に決定される。よって、フラッシュメモリに記憶されたデータであっても、通信速度を遅くすることなく送信することができるという効果がある。
【００５０】
請求項４記載のファクシミリ装置によれば、請求項３記載のファクシミリ装置の奏する効果に加え、更に、読み取りデータは、ＲＡＭで構成された第１メモリより、フラッシュメモリで構成された第２メモリに優先して記憶される。よって、データの受信時には、第１メモリをより多く使用することができるので、受信データをフラッシュメモリに記憶させることによる通信速度の低下を極力抑えることができるという効果がある。
【００５１】
請求項５記載のファクシミリ装置によれば、請求項１から４のいずれかに記載のファクシミリ装置の奏する効果に加え、更に、第１メモリはスタティックＲＡＭで構成され、そのスタティックＲＡＭにはバックアップ回路が設けられている。よって、停電時のように、突然、ファクシミリ装置の電源が遮断された場合にも、第１、第２メモリのいずれに記憶されたデータも失われることなく保存できるという効果がある。
【図面の簡単な説明】
【図１】  本発明の一実施例であるファクシミリ装置の斜視図である。
【図２】  上記ファクシミリ装置の電気的構成を示したブロック図である。
【図３】  ファクシミリ装置の送受信時におけるデータの流れを示したブロック図である。
【図４】  発呼側装置と被呼側装置との通信制御の手順を示した図である。
【図５】  ファクシミリ装置の受信時の処理を示したフローチャートである。
【図６】  ファクシミリ装置の送信時の処理を示したフローチャートである。
【符号の説明】
１                        ファクシミリ装置
１３                      スタティックＲＡＭ（第１メモリ、記憶手段）
１３ａ                    ページメモリ（第１メモリ、記憶手段）
１４                      バックアップ回路
１５                      フラッシュメモリ（第２メモリ、記憶手段）
１９                      ＮＣＵ（受信手段、送信手段）
２０                      モデム（受信手段、送信手段）
２１                      バッファ（受信手段、送信手段、読み取り手段）
２２                      スキャナ（読み取り手段）
２３                      符号化部（読み取り手段）
４７                      ＮＳＦ信号（通信速度決定手段）
４９                      ＤＩＳ信号（通信速度決定手段）
５１                      ＤＣＳ信号（ＮＳＳ信号）（通信速度決定手段）
【図１】
0003796825.tif 000002
【図２】
0003796825.tif 000003
【図３】
0003796825.tif 000004
【図４】
0003796825.tif 000005
【図５】
0003796825.tif 000006
【図６】
0003796825.tif 000007